(57)【要約】【課題】強アルカリ性の染毛１剤等を収納できる二重チューブ容器。【解決手段】口部、肩部および胴部が一体的に形成されたアルミチューブ容器に、ポリエチレン等の合成樹脂で造られる、口部、肩部および胴部が一体的に形成される内袋が嵌装され、該内袋の口部先端は、アルミチューブ容器の口部先端を包み覆うように外方に折り曲げられ、上方から中栓体が嵌合される二重チューブ容器において、中栓体又は内袋の天面に、天面シールを溶着すると共に裾部にライニング部を設けることを特徴とする二重チューブ容器。【選択図】図１
2012035858.tif 000002
【特許請求の範囲】
【請求項１】
口部、肩部および胴部が一体的に形成されるアルミチューブ容器に、ポリエチレン等の合成樹脂で造られる、口部、肩部および胴部が一体的に形成される内袋が嵌装され、該内袋の口部先端は、アルミチューブ容器の口部先端を包み覆うように外方に折り曲げられ、上方から中栓体が嵌合される二重チューブ容器において、
中栓体又は内袋の天面に、天面シールを溶着すると共に裾部にライニング部を設けることを特徴とする二重チューブ容器。
【請求項２】
前記天面シールの構成が、アルミ箔とポリオレフィン系樹脂の多層構成である請求項１記載の二重チューブ容器。
【発明の詳細な説明】
【技術分野】
【０００１】
本発明は、二重チューブ容器に関し、さらに詳しくは、強アルカリ性の染毛１剤等を収納できる二重チューブ容器に関する。
【背景技術】
【０００２】
従来、染毛剤チューブ容器は、通常１剤と２剤とが、各々別のチューブ容器に収納され、対になってセットとして販売されている。第１剤は塩基性酸化染料が主剤であり、気体および液体を通さない密閉されたアルミチューブ容器内に収納され、第２剤は第１剤の染料を酸化重合させる目的をもった、過酸化水素を主成分とする内容物が主剤であり、金属製のアルミチューブ容器の内側に、気体を通すが液体を通さない性質を有する、ガス透過性に優れた合成樹脂製の内袋が嵌装されている。これはクリーム状の過酸化水素を主成分とする内容物が、直接金属製のアルミチューブ容器の内面に接触した場合、アルミチューブ容器内面と過酸化水素を主成分とする内容物とが反応し、アルミチューブ容器内面が腐食するためである。
【０００３】
図９（ａ）は、第１剤を収納するアルミチューブ容器５０を示す一部切欠き断面図である。このアルミチューブ容器５０は、アルミニウムスラグをインパクト成形することにより製造され、封緘蓋５１を有する口部５２、肩部５３及び胴部５４が一体的に形成されている。このアルミチューブ容器５０には、第１剤が収納された後、口部５２の雄ねじ部５２ａには、針体（図示せず）を有するキャップ５５が螺合され、口部５２が封鎖されている。そして、このアルミチューブ容器５０の封緘蓋５１を開孔する場合は、このキャップ５５の針体で突き破ることにより開孔していた。このように封緘蓋５１付のチューブ容器に収納する理由は、簡単に外気の流入によって変質してしまうからである。
【０００４】
又図９（ｂ）は、第２剤を収納する二重チューブ容器６０を示す一部切欠き断面図である。図中、６０は、口部、肩部および胴部が一体的に形成されたアルミチューブ容器である。このアルミチューブ容器６０の内側には、ポリエチレン等の合成樹脂で造られ、口部、肩部および胴部が一体的に形成された内袋６１が嵌装されている。そして、図９（ｂ）に示すように、内袋６１の口部６２先端は、アルミチューブ容器６０の口部６２先端を包み覆うように外方に折り曲げられ、その上から中栓体６３が圧入されている。そして、この中栓体６３にはキャップ６４が螺合されている。このように、口部６２先端を外方に折り曲げて覆うことにより、内容物が金属部分の口部６２に付着し、口部６２が腐食するのを防止している。
【０００５】
従来の第２剤を収納する二重チューブ容器は、過酸化水素を主成分とする内容物が分解して発生する酸素を、二重チューブ容器の開口部及び中栓体とアルミチューブ容器の隙間（図１０のイ）及びチューブ容器裾部（図１０のロ）から外部へ意図的に放出することにより、二重チューブ容器が酸素で充満・加圧されて、膨張し破裂するのを防止していた。そして、従来の染毛剤用チューブ容器においては、使用時において１剤と２剤をトレイの中に、各々一定量を抽出して混合し、頭髪に塗布することにより毛染めを行っていた。従来の文献としては、特許文献１がある。
【先行技術文献】
【特許文献】
【０００６】
【特許文献１】実公昭５５−５１２３２号
【発明の概要】
【発明が解決しようとする課題】
【０００７】
しかし、従来の第１剤を収納するアルミチューブ容器５０にあっては、第１剤は塩基性酸化染料であり、アルカリ性の内容物であるため、アルミ等のアルミチューブ容器の内面には、内面塗料が塗装されているが腐食のおそれがあった。特に近年、染め上がりを美しくするために、第１剤の成分に、ソルビトールが５％以上配合されるものにあっては、第１剤が強アルカリ性であり、従来の内面塗料では、アルミチューブ容器内面の腐食を防止することが不可能であった。
本発明は、このような課題に着目してなされたもので、強アルカリ性の染毛１剤等を安定的に収納できる、従来の二重チューブ容器を改良した二重チューブ容器を提供することを目的とする。
【課題を解決するための手段】
【０００８】
この課題を解決するため、請求項１記載の発明の解決手段は、
口部、肩部および胴部が一体的に形成されるアルミチューブ容器に、ポリエチレン等の合成樹脂で造られる、口部、肩部および胴部が一体的に形成される内袋が嵌装され、該内袋の口部先端は、アルミチューブ容器の口部先端を包み覆うように外方に折り曲げられ、上方から中栓体が嵌合される二重チューブ容器において、中栓体又は内袋の天面に、天面シールを溶着すると共に裾部にライニング部を設けることを特徴とする二重チューブ容器である。
【０００９】
この課題を解決するため、請求項２記載の発明の解決手段は、前記天面シールの構成が、アルミ箔とポリオレフィン系樹脂の多層構成である二重チューブ容器である。
【発明の効果】
【００１０】
本発明に係る二重チューブ容器によれば、強アルカリ性の染毛１剤を収納した場合、アルミニウム表面と直接接触しないので、アルミニウム表面等が腐食するのを完全に防止できる効果がある。そして、口部及び裾部からの外気の侵入を完全に遮断できるので、染毛１剤が使用前に、外気の流入によって変質するのを防止できる効果がある。
【図面の簡単な説明】
【００１１】
【図１】本発明に係る二重チューブ容器の実施例１を示す一部切欠断面図。
【図２】本発明に係る二重チューブ容器の実施例２を示す一部切欠断面図。
【図３】本発明に係る二重チューブ容器の実施例１の裾部を示す断面図。
【図４】本発明に係る実施例１の裾部を溶着した状態を示す断面図。
【図５】本発明に係る二重チューブ容器の実施例２を示す裾部の断面図。
【図６】本発明に係る実施例２の裾部を溶着した状態を示す断面図。
【図７】本発明に係る二重チューブ容器の実施例３を示す裾部の断面図。
【図８】本発明に係る二重チューブ容器の実施例４を示す裾部の断面図。
【図９】従来の染毛１剤用チューブ容器及び染毛２剤用二重チューブ容器を示す一部欠断面図。
【図１０】従来の染毛２剤用二重チューブ容器から、酸素が外部に逃げている状態を示す一部欠断面図。
【発明を実施するための形態】
【００１２】
以下、本発明の実施例の一例を図面に基づいて説明する。
【実施例１】
【００１３】
図１は、本発明の実施例１を示すチューブ容器を示す図面である。１はアルミニウム等の金属材料で造られ、口部２、肩部３および胴部４が一体的に形成されたアルミチューブ容器である。このアルミチューブ容器１の内側には、ポリエチレン等のポリオレフィン系合成樹脂等で造られ、口部２、肩部３および胴部４が一体的に形成された内袋５が嵌装されている。そして、内袋５の先端６は、アルミチューブ容器１の口部２先端を包み覆うように外方に折り曲げられ、その上から中栓体７が嵌入されている。そして、この中栓体７にはキャップ（図示せず）が螺合されている。このように、内袋５の先端６を外方に折り曲げて覆うことにより、内容物がアルミチューブ容器１の金属の口部２に付着し、口部２が腐食するのを防止している。
【００１４】
この実施例１を示すアルミチューブ容器１は、中栓体７の天面に、天面シール８が溶着されている。この天面シール８の層構成は、例えば、中間層がアルミニウム等の金属層で、その上下にポリオレフィン系樹脂層等の合成樹脂層が積層されている。この天面シール８は、図１に示す実施例１では、中栓体７の天面に溶着され、口部２からアルミチューブ容器１内へ外気が侵入するのを完全に遮断することができる。又この実施例１は、図３に示すように、実施例１のチューブ容器１の内袋５の末端部に連続して、ライニング部１１が形成されている。このライニング部１１は内袋５の末端部から一定の部位にかけて塗布されており、塗布される長さＳは３ｍｍ≦Ｓ≦２０ｍｍである。又塗布されるライニング部１１の肉厚は、０．００５〜０．０２ｍｍであり、好ましくは０．０１ｍｍである。さらに、ライニング部１１の材質はクロロプレン系合成ゴム、ポリエステル樹脂、特殊変性ポリエチレン樹脂、水溶性アクリル樹脂等が好ましい。図４に示すように、ライニング部１１同士を折り曲げて圧着し裾部１０を形成した場合、このライニング部１１により、外気がアルミチューブ容器１内へ侵入しない。
【実施例２】
【００１５】
図２は、本発明の実施例２を示すチューブ容器を示す図面である。実施例１と異なるのは、実施例１が、中栓体７の天面に天面シール８が溶着されているのに対して、図２に示すように、実施例２は内袋５の先端６を外方に折り曲げて、アルミチューブ容器１の先端部が覆われるように構成し、内袋５の口部天面に、天面シール１８が溶着されている。これにより、口部２からアルミチューブ容器１内へ外気の侵入を完全に遮断することができる。又図５に示すように、実施例２のチューブ容器１の裾部１０には、ライニング部２１が形成されている。このライニング部２１は、内袋５の末端から一定の部位にかけて、一部内袋５の上に重ねて塗布されている。塗布長さｔは、３ｍｍ≦ｔ≦２０ｍｍである。又塗布されるライニングの肉厚は、０．００５〜０．０２ｍｍであり、好ましくは０．０１ｍｍである。さらに、ライニング部２１の材質は、同様にクロロプレン系合成ゴム、ポリエステル樹脂、特殊変性ポリエチレン樹脂、水溶性アクリル樹脂等が好ましい。図６に示すように、ライニング部２１同士を折り曲げて圧着し裾部１０を形成した場合、このライニング部２１により、外気がアルミチューブ容器１内へ侵入しない。
【実施例３】
【００１６】
図７は、本発明の実施例３を示すチューブ容器を示した図面である。実施例１、２と異なるのは、実施例１、２は内容物の充填後に、ライニング部１１、２１同士を折り曲げて圧着し、裾部１０を形成するのに対して、実施例３及び４では、内袋の末端部５同士及びライニング部３１同士を折り曲げて圧着し裾部１０を形成する実施例である。図７の実施例３では、ライング部３１が裾部１０の折曲部の大部分を占めているが、図８の実施例４では、内袋の末端部５が裾部１０の折曲部の大部分を占めている。
【産業上の利用可能性】
【００１７】
本発明に係る二重チューブ容器によれば、染毛１剤等の強アルカリ性の内容物を収納しても、腐食を防止でき、かつ外気を遮断できるので、染毛１剤の他、薬剤、食品等の内容物を充填するチューブ容器として広く利用することができる。
【符号の説明】
【００１８】
１  アルミチューブ容器
２  口部
３  肩部
４  胴部
５  内袋
６  口部先端
７  中栓体
８  １８  天面シール
１０  裾部
１１  ２１  ３１  ライニング部
【図１】
2012035858.tif 000003
【図２】
2012035858.tif 000004
【図３】
2012035858.tif 000005
【図４】
2012035858.tif 000006
【図５】
2012035858.tif 000007
【図６】
2012035858.tif 000008
【図７】
2012035858.tif 000009
【図８】
2012035858.tif 000010
【図９】
2012035858.tif 000011
【図１０】
2012035858.tif 000012